(57)【要約】【課題】複数のディスプレイを有する情報処理端末において利便性の高い画面表示を実現する技術を提供する。【解決手段】情報処理端末は表示部と制御部を有している。表示部は、複数のディスプレイを有する。制御部は、ディスプレイへの表示形態が異なる複数の表示モードでディスプレイに画面を表示することが可能である。そして、制御部は、画面内に表示モード切り替えスイッチを表示し、該表示モード切り替えスイッチが指定されると、現在の表示モードから移行することが可能な表示モードのみのリストを、各表示モードを指定できるように表示する。更に、制御部は、１つの表示モードが指定されると、選択された該表示モードで画面を表示する。【選択図】図２
2012141903.tif 000002
【特許請求の範囲】
【請求項１】
複数のディスプレイを有する表示部と、
前記ディスプレイへの表示形態が異なる複数の表示モードで前記ディスプレイに画面を表示することが可能であり、画面内に表示モード切り替えスイッチを表示し、該表示モード切り替えスイッチが指定されると、現在の表示モードから移行することが可能な表示モードのみのリストを、各表示モードを指定できるように表示し、１つの表示モードが指定されると、選択された該表示モードで画面を表示する制御部と、を有する情報処理端末。
【請求項２】
前記表示部のディスプレイは２つであり、
前記表示モードとして、いずれか１つのディスプレイに画面を表示する１画面表示モードと、２つのディスプレイにわたって１つの画面を表示する全画面表示モードと、２つのディスプレイのそれぞれに画面を表示する２画面表示モードとがある、請求項１に記載の情報処理端末。
【請求項３】
前記制御部は、左寄せの表示と右寄せの表示の組が同一行に表示される画面に対して前記全画面表示モードによる表示を禁止する、請求項１または２に記載の情報処理端末。
【請求項４】
前記制御部は、前記表示モード切り替えスイッチを前記画面のツールバーに表示する、請求項１から３のいずれか一項に記載の情報処理端末。
【請求項５】
複数のディスプレイを有し、前記ディスプレイへの表示形態が異なる複数の表示モードで前記ディスプレイに画面を表示することが可能な情報処理端末の制御方法であって、
画面内に表示モード切り替えスイッチを表示し、
該表示モード切り替えスイッチが指定されると、現在の表示モードから移行することが可能な表示モードのみのリストを、各表示モードを指定できるように表示し、
１つの表示モードが指定されると、選択された該表示モードで画面を表示する、情報処理端末の制御方法。
【請求項６】
前記ディスプレイは２つであり、
前記表示モードとして、いずれか１つのディスプレイに画面を表示する１画面表示モードと、２つのディスプレイにわたって１つの画面を表示する全画面表示モードと、２つのディスプレイのそれぞれに画面を表示する２画面表示モードとがある、請求項４に記載の情報処理端末の制御方法。
【発明の詳細な説明】
【技術分野】
【０００１】
本発明は、複数のタッチパネルディスプレイを備えた情報処理端末に関する。
【背景技術】
【０００２】
携帯電話機、スマートフォン、携帯情報端末、パーソナルコンピュータなどの情報処理端末の中には２つのディスプレイを備えたものがある。また多くの情報処理端末はブラウザを有し、インターネット等のネットワーク上のＷｅｂページを閲覧することができる。
【０００３】
また、画面が小さいという携帯型の情報処理端末の欠点を補うために、携帯型の情報処理端末に適したブラウザの機能や動作も提案されている（特許文献１参照）。特許文献１に開示された技術は、新たなＷｅｂページを開いたり、元のＷｅｂページに戻ったりする際の利便性を向上させる技術である。特許文献１の携帯情報端末は、Ｗｅｂページのリンク先ページ情報を取得して仮想画面に展開し、その一部をリンクオブジェクト近傍に開いた一時窓に表示することで、リンク先への移行を容易にしている。
【先行技術文献】
【特許文献】
【０００４】
【特許文献１】特開２０１０−２３７７７６号公報
【発明の概要】
【発明が解決しようとする課題】
【０００５】
しかしながら、特許文献１の技術は複数のディスプレイを備えた構成の情報処理端末を考慮したものでないため、複数のディスプレイを有効に利用するものとは言えない。
【０００６】
本発明の目的は、複数のディスプレイを有する情報処理端末において利便性の高い画面表示を実現する技術を提供することである。
【課題を解決するための手段】
【０００７】
上記目的を達成するために、本発明の情報処理端末は、
複数のディスプレイを有する表示部と、
前記ディスプレイへの表示形態が異なる複数の表示モードで前記ディスプレイに画面を表示することが可能であり、画面内に表示モード切り替えスイッチを表示し、該表示モード切り替えスイッチが指定されると、現在の表示モードから移行することが可能な表示モードのみのリストを、各表示モードを指定できるように表示し、１つの表示モードが指定されると、選択された該表示モードで画面を表示する制御部と、を有している。
【０００８】
本発明の制御方法は、複数のディスプレイを有し、前記ディスプレイへの表示形態が異なる複数の表示モードで前記ディスプレイに画面を表示することが可能な情報処理端末の制御方法であって、
画面内に表示モード切り替えスイッチを表示し、
該表示モード切り替えスイッチが指定されると、現在の表示モードから移行することが可能な表示モードのみのリストを、各表示モードを指定できるように表示し、
１つの表示モードが指定されると、選択された該表示モードで画面を表示するものである。
【発明の効果】
【０００９】
本発明によれば、複数のディスプレイを有する情報処理端末において利便性の高い画面表示を実現することができる。
【図面の簡単な説明】
【００１０】
【図１】第１の実施形態による情報処理端末の正面図である。
【図２】第１の実施形態による情報処理端末の機能的な構成を示すブロック図である。
【図３】１画面表示モードの表示の一例を示す図である。
【図４】２画面表示モードの表示の一例を示す図である。
【図５】２画面表示モードの表示の他の例を示す図である。
【図６】全画面表示モードの表示の一例を示す図ある。
【図７】表示モード切り替えスイッチ２５がタッチされたときの表示例を示す図である。
【図８】ユーザの選択によって各種設定を行う設定画面の一例を示す図である。
【発明を実施するための形態】
【００１１】
本発明を実施するための形態について図面を参照して詳細に説明する。
【００１２】
図１は、本実施形態による情報処理端末の正面図である。本実施形態の情報処理端末１０は一例として通信機能を備えた携帯情報端末であり、開閉可能に接続された２つの筐体１３、１４からなり、各筐体１３、１４のそれぞれにディスプレイ１１、１２を備えている。２つのディスプレイ１１、１２は、筐体１３と筐体１４を開いた状態で表示面が同じ方向を向き、ユーザの視界に同時に入るように配置されている。
【００１３】
図２は、第１の実施形態による情報処理端末の機能的な構成を示すブロック図である。図２を参照すると、情報処理端末１０は表示部１５および制御部１６を有している。表示部１５はディスプレイ１１、１２を有している。
【００１４】
ディスプレイ１１、１２は、それぞれに画面を表示する機能と、ユーザの指やペンによるタッチ操作を検出する機能とを有するタッチパネル式の表示入力装置である。ディスプレイ１１、１２は、制御部１６からの制御で画面を表示し、ユーザがタッチした位置を示すタッチ入力情報を制御部１６に通知する。
【００１５】
制御部１６は、ディスプレイ１１、１２への操作によるユーザの指示に従って処理を実行し、処理に応じた画面をディスプレイ１１、１２に表示する。一例としてブラウザについて述べれば、制御部１６は、ブラウザ機能を有し、ディスプレイ１１、１２への操作に応じてＷｅｂページ等のブラウザ画面をディスプレイ１１、１２へ表示する。
【００１６】
ディスプレイ１１、１２へのブラウザ画面の表示形態には、１画面表示モード、全画面表示モード、２画面表示モードという複数の表示モードがある。
【００１７】
図３は１画面表示モードの表示の一例、図４は２画面表示モードの表示の一例、図５は２画面表示モードの表示の他の例、図６は全画面表示モードの表示の一例をそれぞれ示している。図３−６においては、左側にディスプレイ１１の表示、右側にディスプレイ１２の表示が描かれている。
【００１８】
１画面表示モードは、いずれか一方のディスプレイにブラウザ画面を表示する表示モードである。図３に示した１画面表示モードの例では、右側のディスプレイ１２に検索画面２２が表示され、左側のディスプレイ１１には、ブラウザ画面以外の画面の例として背景画面２１が示されている。検索画面２２はブラウザ画面の一種である。図３の検索画面２２には、ツールバーに表示モード切り替えスイッチ２５が含まれている。表示モード切り替えスイッチ２５は、ブラウザ画面の表示モードを切り替えるためのスイッチである。ユーザが表示モード切り替えスイッチ２５をタッチすると、現在の表示モードから移行することが可能な表示モードだけをリスト化したプルダウンメニューが表示される。ユーザがプルダウンメニューのリストのいずれかの表示モードをタッチすると、ブラウザ画面の表示がタッチされた表示モードに切り替わる。
【００１９】
２画面表示モードは、ディスプレイ１１、１２のそれぞれに別個のブラウザ画面を表示する表示モードである。２画面表示モードには更に２つの表示モードが含まれる。
【００２０】
第１の２画面表示モードは、一方のディスプレイにＷｅｂページや検索画面の画面を表示し、他方のディスプレイにお気に入りのアイコンを配置した画面を表示する表示モードである。図４に示した第１の２画面表示モードの例では、ディスプレイ１１にお気に入りＷｅｂページを指定するお気に入りアイコン２４を配置したお気に入り画面２３が表示され、ディスプレイ１２に検索画面２２が表示されている。お気に入り画面２３もブラウザ画面の一種である。
【００２１】
第２の２画面表示モードは、両方のディスプレイのそれぞれに別々のＷｅｂページの画面や検索画面を表示する表示モードである。図５に示した第２の２画面表示モードの例では、ディスプレイ１１とディスプレイ１２のそれぞれに検索画面２２が表示されている。
【００２２】
図４のお気に入り画面２３と、図４、５の検索画面２２には、ツールバーに表示モード切り替えスイッチ２５が含まれている。
【００２３】
全画面表示モードは、ディスプレイ１１、１２にわたって１つのブラウザ画面を表示する表示モードである。図６に示した全画面表示モードの例では、ディスプレイ１１とディスプレイ１２にわたって１つの検索画面２２が表示されている。図６の検索画面２２には、ツールバーに表示モード切り替えスイッチ２５が含まれている。
【００２４】
制御部１６は、上述したように、表示モード切り替えスイッチ２５をブラウザ画面のツールバーに表示する。そして、制御部１６は、表示モード切り替えスイッチ２５がタッチされると、現在の表示モードから移行することが可能な表示モードを指定可能に表示する。具体的には、制御部１６は、表示モード切り替えスイッチ２５がタッチされると、現在の表示モードから移行することが可能な表示モードのみのリストをプルダウン表示する。現在の表示モードから現在の表示モードへは移行する操作は必要ないため、表示モードのリストから現在の表示モードは除かれる。
【００２５】
図７は、表示モード切り替えスイッチ２５がタッチされたときの表示例を示す図である。図７を参照すると、現在の表示モードから移行することが可能な表示モードのみをリスト化したプルダウンメニュー３０が表示されている。プルダウンメニュー３０では、タッチされた表示モード切り替えスイッチ２５の下に、移行が可能な表示モードが縦に並べて表示される。プルダウンメニュー３０のリストの何れかの表示モードをユーザがタッチすると、ブラウザ画面がその表示モードに切り替わる。
【００２６】
また、制御部１６は、ブラウザ画面の種類により特定の表示モードによる表示を禁止し、特定の表示モードが禁止されたブラウザ画面の表示モード切り替えスイッチ２５が指定されると、プルダウンメニュー３０には、その特定の表示モード以外の表示モードを指定可能に表示する。
【００２７】
例えば、制御部１６は、左寄せの表示と右寄せの表示の組が同一行に表示されるブラウザ画面に対して、全画面表示モードによる表示を禁止する。これは、全画面モードで表示することで左寄せの表示と右寄せの表示の間が広くなり過ぎてしまうのを防止するものである。例えば、図８の例では、ＯＳ（オペレーションシステム）等に対してユーザの選択によって各種設定を行う設定画面２６では、設定項目２７が左寄せで表示され、その設定項目に対するチェックボックスの入力領域２８が右寄せで表示されている。その設定画面２６が全画面表示モードで表示されると、設定項目２７と入力領域２８が遠くなって使いづらい。そのような種類のブラウザ画面については全画面表示モードを禁止するとよい。
【００２８】
なお、制御部１６は、１画面表示モードから第２の２画面表示モードへの移行を禁止することにしてもよいし、許可することにしてもよい。１画面表示モードから第２の２画面表示モードへの移行を禁止する場合、制御部１６は、１画面表示モードで表示されたブラウザ画面のプルダウンメニュー３０に第２の２画面表示モードを含めない。１画面表示モードから第２の２画面表示モードへの移行を許可する場合、制御部１６は、その指示を受けて新たに表示するブラウザ画面として、ブラウザ起動時に表示するホームページとして設定したＷｅｂページのブラウザ画面を表示してもよい。
【００２９】
以上説明したように、本実施形態によれば、現在の表示モードから移行可能な表示モードを指定可能なリストにして表示するので、ディスプレイ１１、１２を有効に利用した様々な表示モードが可能な情報処理端末１０において、ユーザが容易かつ迅速に所望の表示モードに切り替えることができる。
【００３０】
また、本実施形態では、現在の表示モードから移行することが可能の表示モードのみのリストを表示するので、ユーザは移行が可能な表示モードを容易に把握することができるとともに、短い距離の指の動きで表示モードを切り替えることができる。
【００３１】
また、本実施形態では、ブラウザ画面の種類によりユーザの視認性あるいは操作性が良くない表示モードが禁止されるので、ユーザは容易に視認性および操作性が良い表示モードを選択することができる。
【００３２】
なお、上述した実施形態では、情報処理端末１０が２つのディスプレイ１１、１２を有する場合を例示したが、本発明がこの構成だけに限定されるものではない。他の実施形態として、情報処理端末１０が３つ以上のディスプレイを有してもよい。その場合であっても、ブラウザ画面内の表示モード切り替えスイッチ２５が指定されると、現在の表示モードから移行することが可能な表示モードを指定可能に表示し、１つの表示モードが指定されると、指定された該表示モードでブラウザ画面を表示するという制御部１６の基本的な処理に違いは無い。
【００３３】
以上、本発明の実施形態について述べてきたが、本発明は、これらの実施形態だけに限定されるものではなく、本発明の技術思想の範囲内において、これらの実施形態を組み合わせて使用したり、一部の構成を変更したりしてもよい。
【符号の説明】
【００３４】
１０  情報処理端末
１１、１２、１２Ａ、１２Ｂ  ディスプレイ
１３、１４  筐体
１５  表示部
１６  制御部
２１  背景画面
２２  検索画面
２３  お気に入り画面
２４  お気に入りアイコン
２５  表示モード切り替えスイッチ
２６  設定画面
２７  設定項目
２８  入力エリア
３０  プルダウンメニュー
【図１】
2012141903.tif 000003
【図２】
2012141903.tif 000004
【図３】
2012141903.tif 000005
【図４】
2012141903.tif 000006
【図５】
2012141903.tif 000007
【図６】
2012141903.tif 000008
【図７】
2012141903.tif 000009
【図８】
2012141903.tif 000010